(57)【要約】【課題】  一種類の間仕切りパネルを用いると共に、コーナ役物を不必要とする可動間仕切りパネルの固定金具を提供する。【解決手段】  天井モジュール(２８）に打設されたアンカーボルト（３３）と、長手方向に沿う位置に３個の取付穴を所定の間隔で有するアンカー側の固定金具（４７）とを備えたホールインアンカー（３５）と、板状の間仕切りパネル（２０）の上面に沿って取り付けられ、且つ両端部と中間部の長手方向に沿う位置に所定の間隔で取付穴（４０）を有する間仕切り側の固定金具（３８）と、アンカー側の固定金具（４７）及び間仕切り側の固定金具（３８）を接合する接合金具（４１）とを備えている。アンカーボルト（３３）に対するアンカー側の固定金具（４７）の取付位置を変えること及び間仕切り側の固定金具（３８）に対する接続金具（４１）の取付位置を変えることにより、アンカー側の固定金具（３０）に取り付けられた２枚の間仕切りパネル（２０）を間仕切りパネル（２０）の幅方向に沿って変位可能にしている。【選択図】              図１７
2005282085.tif 000002
【特許請求の範囲】
【請求項１】
天井モジュールに打設されたホールインアンカーに可動間仕切りパネルを固定して部屋
を間仕切りする構造であって、前記ホールインアンカーに対する可動間仕切りパネルの固
定位置が可動間仕切りパネルの芯材の厚さ方向の３段階と幅方向の３段階との位置を調整
して、幅方向が一種類の可動間仕切りパネルで異なる形の部屋の間仕切りを可能にしたこ
とを特徴とする可動間仕切り方法。
【請求項２】
天井モジュールに打設されたアンカーボルトと該アンカーボルトに着脱自在に取り付け
られたアンカー側の固定金具とを有するホールインアンカーと、
板状の間仕切りパネルの上面に沿って取り付けられ、且つ両端部と中間部の長手方向に
沿う位置に取付穴を有する間仕切り側の固定金具と、
前記アンカー側の固定金具及び間仕切り側の固定金具を接合する接合金具と、
を備えた可動間仕切りパネルの固定金具であって、
前記ホールインアンカーは、間仕切りパネルの厚さ方向におけるセンタ位置と厚さ方向
両側の端部位置との３段階の位置と、幅方向の３段階の位置との合計９個の位置で前記間
仕切りパネルの位置調整を可能にし、且つ、前記ホールインアンカーに対する前記間仕切
りパネルの取付位置を調整することで交差する複数の間仕切りパネルの接合部の勝ち−負
けを任意に選択可能にしたことを特徴とする可動間仕切りパネルの固定金具。
【請求項３】
前記アンカー側の固定金具は、前記アンカーボルトに着脱自在に取り付けられた長尺の
金具であって長手方向に沿う位置に上下方向を向く３個の取付穴を所定の間隔Ｗ／２で有
する第１の固定金具と、該第１の固定金具に直交して前記アンカーボルトに着脱自在に取
り付けられた第２の固定金具とを備え、
且つ前記間仕切り側の固定金具は、前記間仕切りパネルの幅方向に沿って３個の取付穴
を所定の間隔Ｗ／２で有することを特徴とする請求項２に記載の可動間仕切りパネルの固
定金具。
【請求項４】
天井モジュールに打設されたアンカーボルトと該アンカーボルトに着脱自在に取り付け
られた長尺の金具であって長手方向に沿う位置に３個の取付穴を所定の間隔Ｗ／２で設け
た一対の壁部を有するアンカー側の固定金具とを備えたホールインアンカーと、
２つの板状の間仕切りパネルの上面に沿ってそれぞれ取り付けられ、且つ両端部と中間
部の長手方向に沿う位置に前記所定の間隔Ｗ／２で取付穴を有する間仕切り側の固定金具
と、
前記アンカー側の固定金具の各壁部と前記各間仕切り側の固定金具とをそれぞれ接合す
る１対の接合金具と、
を備えた可動間仕切りパネルの固定金具であって、
前記アンカーボルトに対する前記アンカー側の固定金具の取付位置を変えることにより
、前記アンカー側の固定金具に取り付けられた２枚の間仕切りパネルを該間仕切りパネル
の幅方向に沿って変位可能にしたことを特徴とする可動間仕切りパネルの固定金具。
【請求項５】
天井モジュールに打設されたアンカーボルトと該アンカーボルトに着脱自在に取り付け
られた長尺の金具であって長手方向に沿う位置に３個の取付穴を所定の間隔Ｗ／２で有す
る第１の固定金具及び該第１の固定金具に直交している第２の固定金具からなるアンカー
側の固定金具とを備えたホールインアンカーと、
前記第１の固定金具に平行して前記第２の固定金具に固定されていて、引き戸をガイド
可能なガイドレールと、
板状の間仕切りパネルの上面に沿って取り付けられ、且つ両端部と中間部の長手方向に
沿う位置に前記所定の間隔Ｗ／２で取付穴を有する間仕切り側の固定金具と、
前記アンカー側の固定金具及び間仕切り側の固定金具を接合する接合金具と、
を備えた可動間仕切りパネルの固定金具であって、
前記アンカーボルトに対する前記アンカー側の固定金具の取付位置を変えること及び前
記間仕切り側の固定金具に対する前記接続金具の取付位置を変えることにより、前記第１
の固定金具に取り付けられた間仕切りパネル及び前記ガイドレールに支持された引き戸を
前記間仕切りパネルの幅方向に沿って変位可能にしたことを特徴とする可動間仕切りパネ
ルの固定金具。
【請求項６】
天井モジュールに打設されたアンカーボルトと該アンカーボルトに着脱自在に取り付け
られた長尺の金具であって長手方向に沿う位置に３個の取付穴を所定の間隔Ｗ／２で有す
るアンカー側の固定金具とを備えたホールインアンカーと、
該ホールインアンカーの長手方向に沿って取り付けられた伸縮自在のアコーディオンカ
ーテンとを有する可動間仕切りパネルの固定金具であって、
前記アンカーボルトに対する前記アンカー側の固定金具の取付位置を変えることにより
、前記アコーディオンカーテンを幅方向に沿って移動可能にしたことを特徴とす可動間仕
切りパネルの固定金具。
【発明の詳細な説明】
【技術分野】
【０００１】
本発明は、住宅等の建物の一部をリフォームする際に、既設の間仕切りの一部を配置変
えしたり新規の間仕切りを配置して室内を間仕切りする際に有効な可動間仕切りパネルの
固定金具に関するものである。
【背景技術】
【０００２】
従来例１として、例えば、会議場及び宴会場等の大広場を不特定の人数が利用する場所
では、空間を有効活用するために可動間仕切りを使用して部屋の広さを調整していた。こ
の可動間仕切りは、複数の可動間仕切りを収納している収納部からダクトを介して１枚ず
つ可動間仕切りを移動させて順次並設させることで室内を仕切っていた（例えば、特許文
献１参照）。
【０００３】
また、住宅等の建物においては、ライフスタイルの変化によるリフォーム、すなわち壮
年時代の室内を老年時代に適合した室内にリフォームするためには、建物の間仕切りを変
更させることが必要となっている。建物の室内を間仕切りする従来例２を図３３〜図３５
に示す。
【０００４】
図３３は、建物（図示せず）の間仕切りされた部屋１を示していて、上下及び左右の各
辺は、厚さが５０ｍｍ、幅が８７５ｍｍの間仕切りパネル２を２枚接続したものから間仕
切りされている。この間仕切りでは４隅においてコーナ役物３が使用されている。
【０００５】
図３４は、建物４の外壁５の内面に表皮層６を一辺に有する部屋７を示している。この
部屋７は、厚さが５０ｍｍ、上下辺の幅が８７５ｍｍと９００ｍｍの間仕切りパネル２，
８と右辺が前記２枚の間仕切りパネル２により間仕切りされている。そして、右辺の上下
部にはコーナ役物３がそれぞれ配設されている。なお、Ｍ基準線は、建物４の天井のモジ
ュール基準線を示している。
【０００６】
図３５は、前記表皮層６と内壁９とを左辺及び下辺に有する部屋１０を示している。こ
の部屋１０は上辺が厚さが５０ｍｍ、幅が８７５ｍｍ、９００ｍｍの間仕切りパネル２，
８により間仕切りされ、右辺が２枚の間仕切りパネル２により間仕切りされている。そし
て、右辺の上部にはコーナ役物３が設けられている。
【０００７】
次に、建物を間仕切りする従来例３を図３６〜図３８に示す。なお、従来例２に示すも
のと同じものは同一符号を付してその説明は省略する。
【０００８】
図３６に示す部屋１１は、上下辺が２枚の間仕切りパネル２により間仕切りされ、左右
辺が幅９２５ｍｍの間仕切りパネル１２により間仕切りされている。この間仕切りにおい
ては、上下辺の間仕切りパネル２が左右辺の間仕切りパネル１２にそれぞれ「負け」にな
っている。
【０００９】
図３７に示す部屋１３は、上下辺が８７５ｍｍ及び９００ｍｍの間仕切りパネル２，８
により間仕切りされ、右辺は幅が２枚の９２５ｍｍにより間仕切りされている。この間仕
切りにおいては、上下辺の間仕切りパネル２は、左辺の間仕切りパネル１２に対してそれ
ぞれ「負け」になっている。
【００１０】
また、図３８に示す部屋１４は、上辺が幅８７５ｍｍ及び９００ｍｍの間仕切りパネル
２，８により間仕切りされ、右辺は幅が９００ｍｍ及び９２５ｍｍの間仕切パネル８，１
２により間仕切りされている。この間仕切りにおいては、上辺の間仕切りパネル２が右辺
の間仕切りパネル１２に対して「負け」になっている。
【００１１】
図３６〜図３８においては、隣設するコーナ部の間仕切りパネルの何れかを「勝ち」又
は「負け」にすることで、コーナ部におけるコーナ役物を不必要としている。
【特許文献１】特許  第２５５１５９６号公報
【発明の開示】
【発明が解決しようとする課題】
【００１２】
上述した従来例１のような間仕切りにおいては、定まった大きさの大広場を複数の間仕
切りパネルにより必要な広さの部屋に間仕切りしているので、間仕切りの大きさは一定で
あって、コーナ役物等は不要であるが、大きさの異なる大広場を間仕切りするには同じ間
仕切りパネルを使用することはできない問題があった。
【００１３】
また、前述した従来例２における間仕切りにおいては、部屋１，７，１０のコーナ部に
おいてコーナ役物３を必要とすると共に、異なるサイズの間仕切りパネル２，８を必要と
する問題があった。
【００１４】
このため、建物４の間仕切り時や、既設の間仕切りされた部屋のリフォー時において、
複数種類の間仕切りパネルやコーナ役物を用意しなければならないので、部屋の間仕切り
がコスト高となる問題があった。
【００１５】
また、従来例３における間仕切りにおいては、間仕切りパネル１２に対して間仕切りパ
ネル２を「負け」にしてコーナ部におけるコーナ役物３を不必要としている利点があるが
、部屋１１，１３，１４を間仕切りするために間仕切りパネル２，８，１２の３種類を要
して、間仕切りパネルのサイズの種類が増加する問題があった。
【００１６】
本発明は、一種類の間仕切りパネルを用いると共に、コーナ役物を不必要とする可動間
仕切りパネルの固定金具を提供することを目的とするものである。
【課題を解決するための手段】
【００１７】
本発明は、上述事情に鑑みなされたものであって、請求項１に記載の発明は、天井モジ
ュールに打設されたホールインアンカーに可動間仕切りパネルを固定して部屋を間仕切り
する構造であって、前記ホールインアンカーに対する可動間仕切りパネルの固定位置が可
動間仕切りパネルの芯材の厚さ方向の３段階と幅方向の３段階との位置を調整して、幅方
向が一種類の可動間仕切りパネルで異なる形の部屋の間仕切りを可能にしたことを特徴と
している。
【００１８】
このように構成された請求項１に係わる発明では、天井モジュールに打設されたホール
インアンカーに対して間仕切りパネルをその厚さ方向及び幅方向に位置調整するようにし
たので、間仕切りパネル同士の幅方向端部における接合部の「勝ち−負け」をコントロー
ルできるため、従来の間仕切りに用いられた役物コーナパネルの部品が不要となって間仕
切りのコストダウンを実現することができる。また、幅方向の寸法が１種類の間仕切りパ
ネルで種々の形の間仕切りに対応できるため、間仕切りパネルの種類を大幅に削減できて
、リフォーム等において間仕切りのコストダウンを実現することができる。
【００１９】
また、請求項２に記載の発明は、天井モジュールに打設されたアンカーボルトと該アン
カーボルトに着脱自在に取り付けられたアンカー側の固定金具とを有するホールインアン
カーと、板状の間仕切りパネルの上面に沿って取り付けられ、且つ両端部と中間部の長手
方向に沿う位置に取付穴を有する間仕切り側の固定金具と、前記アンカー側の固定金具及
び間仕切り側の固定金具を接合する接合金具と、を備えた可動間仕切りパネルの固定金具
であって、前記ホールインアンカーは、間仕切りパネルの厚さ方向におけるセンタ位置と
厚さ方向両側の端部位置との３段階の位置と、幅方向の３段階の位置との合計９個の位置
で前記間仕切りパネルの位置調整を可能にし、且つ、前記ホールインアンカーに対する前
記間仕切りパネルの取付位置を調整することで交差する複数の間仕切りパネルの接合部の
勝ち−負けを任意に選択可能にしたことを特徴としている。
【００２０】
このように構成された請求項２に係わる発明では、間仕切りパネルの厚さ方向における
センタ位置と厚さ方向両側の端部位置との３段階の位置と、幅方向の３段階の位置との合
計９個の位置で前記間仕切りパネルの位置調整を可能にし、且つ、前記ホールインアンカ
ーに対する前記間仕切りパネルの取付位置を調整することで、部屋のコーナ部において隣
設する間仕切りパネル同士の「勝ち−負け」を自在にコントロールできるので、コーナパ
ネル等のコーナ役物を不要とすることができる。さらに、間仕切り時において間仕切りパ
ネルを適正に芯ずれさせることで、幅方向の長さが１種類の間仕切りパネルによって種々
の間仕切りに対応することができる。このため、仕切りパネルを構成する間仕切り本体の
部品点数を大幅に削減できて、間仕切りのコストダウンを実現することができる。
【００２１】
また、請求項３に記載の発明は、前記アンカー側の固定金具は、前記アンカーボルトに
着脱自在に取り付けられた長尺の金具であって長手方向に沿う位置に上下方向を向く３個
の取付穴を所定の間隔Ｗ／２で有する第１の固定金具と、該第１の固定金具に直交して前
記アンカーボルトに着脱自在に取り付けられた第２の固定金具とを備え、且つ前記間仕切
り側の固定金具は、前記間仕切りパネルの幅方向に沿って３個の取付穴を所定の間隔Ｗ／
２で有することを特徴としている。
【００２２】
このように構成された請求項３に係わる発明では、アンカーボルトに対してアンカー側
の固定金具の第１の固定金具をその長手方向に沿ってＷ／２ずつ３段階に移動可能にする
と共に、第２の固定金具に対して間仕切り側の固定金具を長手方向に対して３段階に位置
調整可能にしているので、間仕切りのコーナ部においては、隣設する間仕切りパネルの「
勝ちー負け」を任意に選択可能となる。このため、一種類の間仕切りパネルを用いると共
に、コーナ役物を不必要とする間仕切りを行うことができる。
【００２３】
また、請求項４に記載の発明は、天井モジュールに打設されたアンカーボルトと該アン
カーボルトに着脱自在に取り付けられた長尺の金具であって長手方向に沿う位置に３個の
取付穴を所定の間隔Ｗ／２で設けた一対の壁部を有するアンカー側の固定金具とを備えた
ホールインアンカーと、２つの板状の間仕切りパネルの上面に沿ってそれぞれ取り付けら
れ、且つ両端部と中間部の長手方向に沿う位置に前記所定の間隔Ｗ／２で取付穴を有する
間仕切り側の固定金具と、前記アンカー側の固定金具の各壁部と各前記間仕切り側の固定
金具とをそれぞれ接合する１対の接合金具と、を備えた可動間仕切りパネルの固定金具で
あって、前記アンカーボルトに対する前記アンカー側の固定金具の取付位置を変えること
により、前記アンカー側の固定金具に取り付けられた２枚の間仕切りパネルを該間仕切り
パネルの幅方向に沿って変位可能にしたことを特徴としている。
【００２４】
このように構成された請求項４に係わる発明では、アンカーボルトに対してアンカー側
の固定金具が３段階に位置調整可能にしていると共に、アンカー側の固定金具の１対の壁
部に間仕切りパネルを取付可能にしているので、アンカー側の固定金具に取り付けられる
２枚の間仕切りパネルをその幅方向へ３段階に位置調整することができる。また、前記ア
ンカー側の固定金具には、何れか一方の壁部に２枚の間仕切りパネルを取付可能であると
共に、リフォーム時において不要となった間仕切りパネルを他方の壁部に格納することが
できる。
【００２５】
また、請求項５に記載の発明は、天井モジュールに打設されたアンカーボルトと該アン
カーボルトに着脱自在に取り付けられた長尺の金具であって長手方向に沿う位置に３個の
取付穴を所定の間隔Ｗ／２で有する第１の固定金具及び該第１の固定金具に直交している
第２の固定金具からなるアンカー側の固定金具とを備えたホールインアンカーと、前記第
１の固定金具に平行して前記第２の固定金具に固定されていて、引き戸をガイド可能なガ
イドレールと、板状の間仕切りパネルの上面に沿って取り付けられ、且つ両端部と中間部
の長手方向に沿う位置に前記所定の間隔Ｗ／２で取付穴を有する間仕切り側の固定金具と
、前記アンカー側の固定金具及び間仕切り側の固定金具を接合する接合金具と、を備えた
可動間仕切りパネルの固定金具であって、前記アンカーボルトに対する前記アンカー側の
固定金具の取付位置を変えること及び前記間仕切り側の固定金具に対する前記接続金具の
取付位置を変えることにより、前記第１の固定金具に取り付けられた間仕切りパネル及び
前記ガイドレールに支持された引き戸を前記間仕切りパネルの幅方向に沿って変位可能に
したことを特徴としている。
【００２６】
このように構成された請求項５に記載の発明では、アンカーボルトに対する前記アンカ
ー側の固定金具の取付位置を変えること及び前記間仕切り側の固定金具に対する前記接続
金具の取付位置を変えることにより、前記アンカー側の固定金具に取り付けられた間仕切
りパネル及び前記ガイドレールに支持された引き戸を前記間仕切りパネルの幅方向に沿っ
て変位可能にしたので、間仕切りパネルを幅方向に沿って位置調整可能にすると共に間仕
切りパネルに隣設して引き戸を設けることができる。
【００２７】
また、請求項６に記載の発明は、天井モジュールに打設されたアンカーボルトと該アン
カーボルトに着脱自在に取り付けられた長尺の金具であって長手方向に沿う位置に３個の
取付穴を所定の間隔Ｗ／２で有するアンカー側の固定金具とを備えたホールインアンカー
と、該ホールインアンカーの長手方向に沿って取り付けられた伸縮自在のアコーディオン
カーテンとを有する可動間仕切りパネルの固定金具であって、前記アンカーボルトに対す
る前記アンカー側の固定金具の取付位置を変えることにより、前記アコーディオンカーテ
ンを幅方向に沿って移動可能にしたことを特徴としている。
【００２８】
このように構成された請求項６に係わる発明では、アンカーボルトに対するアンカー側
の固定金具の位置を調整可能にしたので、アコーディオンカーテンを幅方向に位置調整可
能にすることができる。
【発明の効果】
【００２９】
請求項１に係わる発明によれば、天井モジュールに打設されたホールインアンカーに対
して間仕切りパネルをその厚さ方向及び幅方向に位置調整するようにしたので、間仕切り
パネル同士の幅方向端部における接合部の「勝ち−負け」をコントロールできるため、従
来の間仕切りに用いられた役物コーナパネルの部品が不要になって間仕切り部材のコスト
ダウンを図ることができる。また、幅方向の寸法が１種類の間仕切りパネルで種々の形の
間仕切りに対応できるため、間仕切りパネルの種類を大幅に削減できて、リフォーム等に
おいて間仕切りのコストダウンを実現することができる。
【００３０】
また、請求項２に係わる発明によれば、間仕切りパネルの厚さ方向におけるセンタ位置
と厚さ方向両側の端部位置との３段階ｆの位置と、幅方向の３段階の位置との合計９個の
位置で前記間仕切りパネルの位置調整を可能にし、且つ、前記ホールインアンカーに対す
る前記間仕切りパネルの取付位置を調整することで、部屋のコーナ部において隣設する間
仕切りパネル同士の「勝ち−負け」を自在にコントロールできるので、コーナパネル等の
コーナ役物を不要とすることができる。さらに、間仕切り時において間仕切りパネルを適
正に芯ずれさせることで、幅方向の長さが１種類の間仕切りパネルによって種々の間仕切
りに対応することができる。このため、仕切りパネルを構成する間仕切り本体の部品点数
を大幅に削減できて、間仕切りのコストダウンを実現することができる。
【００３１】
また、請求項３に係わる発明によれば、アンカーボルトに対してアンカー側の固定金具
の第１の固定金具をその長手方向に沿ってＷ／２ずつ３段階に移動可能にすると共に、第
２の固定金具に対して間仕切り側の固定金具を長手方向に対して３段階に位置調整可能に
しているので、間仕切りのコーナ部においては、隣設する間仕切りパネルの「勝ちー負け
」を任意に選択可能となる。このため、一種類の間仕切りパネルを用いると共に、コーナ
役物を不必要とする間仕切りを行うことができる。
【００３２】
また、請求項４に係わる発明によれば、アンカーボルトに対してアンカー側の固定金具
が３段階に位置調整可能にしていると共に、アンカー側の固定金具の１対の壁部に間仕切
りパネルを取付可能にしているので、アンカー側の固定金具に取り付けられる２枚の間仕
切りパネルをその幅方向へ３段階に位置調整することができる。また、前記アンカー側の
固定金具には、何れか一方の壁部に２枚の間仕切りパネルを取付可能であると共に、リフ
ォーム時において不要となった間仕切りパネルを他方の壁部に格納することができる。
【００３３】
また、請求項５に係わる発明によれば、アンカーボルトに対する前記アンカー側の固定
金具の取付位置を変えること及び前記間仕切り側の固定金具に対する前記接続金具の取付
位置を変えることにより、前記ホールインアンカーに取り付けられた間仕切りパネル及び
前記ガイドレールに支持された引き戸を前記間仕切りパネルの幅方向に沿って変位可能に
したので、間仕切りパネルを幅方向に沿って位置調整可能にすると共に間仕切りパネルに
隣設して引き戸を設けることができる。
【００３４】
また、請求項６に係わる発明によれば、アンカーボルトに対するアンカー側の固定金具
の位置を調整可能にしたので、アコーディオンカーテンを幅方向に位置調整可能にするこ
とができる。
【発明を実施するための最良の形態】
【００３５】
以下、本発明の実施例に係わる芯ずれモジュールを図面に沿って説明する。
【００３６】
図１は、間仕切りパネルを上部から見た間仕切りパネルとホールインアンカーとの位置
関係を示している。可動な間仕切りパネル２０は後述するホールインアンカーにより両端
部２１と中央部２２とを支持されるようになっている。符号２３は間仕切りパネル２０を
支持するための後述するホールインアンカーの位置を示している。
【００３７】
間仕切りパネル２０は厚さＷを有していて、その芯材の中心部から厚さ方向において両
端部にＷ／２ずつの計３段階に位置調整可能になっている。また、間仕切りパネル２０は
、この間仕切りパネル２０の幅方向においてＷ／２ずつの計３段階に位置調整可能になっ
ている。
【００３８】
間仕切りパネル２０を上述のように厚さ方向の３つの位置と幅方向の３つ位置との合計
９個の位置に位置調整することで、１種類の間仕切りパネル２０により従来と同様の間仕
切りを行うことができる。前記間仕切りパネル２０は、幅方向の長さが９００ｍｍになっ
ている。図２〜図８に芯ずれモジュールのパターンを示す。
【００３９】
従来例２における図３３の部屋１及び従来例３における図３６の部屋１１は、図２に示
すように上下辺の２枚の間仕切りパネル２０を矢印で示す外側にそれぞれ芯ずれさせ、左
右辺の２枚の間仕切りパネル２０をそれぞれ内側に芯ずれさせることで上下辺が「勝ち」
に左右辺が「負け」になって略同様の大きさの部屋２４に間仕切りできる。
【００４０】
また、従来例２における図３４の部屋７及び従来例３における図３７の部屋１３は、図
３に示すように上下辺の２枚の間仕切りパネル２０をそれぞれ内側に芯ずれさせ、左右辺
の２枚の間仕切りパネル２０を外側に芯ずれさせることで略同じ大きさの部屋２５に間仕
切りすることができる。
【００４１】
図４は、図３の部屋２５の中間に間仕切りパネル２０を配設して二つの部屋２５ａ，２
５ｂに分割したものである。また、図５は上下辺の間仕切りパネル２０を内側に芯ずれさ
せるのは図３、図４と同様であって、右辺の３枚の間仕切りパネル２０を外側に芯ずれさ
せると共に２枚の間仕切りパネル２０により３つの部屋２５ａ，２５ｂ，２５ｃに分割し
た例を示している。
【００４２】
また、従来例２における図３５の部屋１０及び従来例３における図３８の部屋１４は、
図６に示すように上辺の２枚の間仕切りパネル２０を内側に芯ずれさせ、右辺の２枚の間
仕切りパネル２０を外側にそれぞれ芯ずれさせることで、部屋１０及び部屋１４と略同じ
大きさの部屋２６を間仕切りすることができる。
【００４３】
図７は、図６の部屋２６の中間に間仕切りパネル２０を配設して二つの部屋２６ａ，２
６ｂに分割したものである。また、図８は、上辺の２枚の間仕切りパネル２０を内側に芯
ずれさせると共に、右辺の３枚の間仕切りパネル２０を外側にそれぞれ芯ずれさせている
。そして、内部に２枚の間仕切りパネル２０を配設することで、３つの部屋２６ａ，２６
ｂ，２６ｃに分割した例を示している。
【００４４】
図２〜図８で示した間仕切りにおいては、幅方向の長さが９００ｍｍの１種類により間
仕切りすることができる。さらに、間仕切りパネル２０の「勝ちー負け」を選択すること
で、従来例２、３において必要とされていたコーナ役物３を用いることなく間仕切りを行
うことができる。
【００４５】
次に、上述のような間仕切りを実現するための間仕切りパネル２０を結合させる固定金
具の実施例について説明する。
【実施例１】
【００４６】
図９は、厚さが５０ｍｍの２枚の間仕切りパネル２０を直列に結合させる固定金具の平
面図を示している。また、図９のＡ−Ａ線断面矢視図を図１０に、Ｂ−Ｂ線断面矢視図を
図１１にそれぞれ示す。
【００４７】
図１０及び図１１において、モジュール化された天井（以下天井モジュールという）２
８には金属性のブッシュ２７が埋設されている。このブッシュ２７には、長尺で逆Ｌ字状
のアンカー側の固定金具３０が金属性の座金３１及び非金属性の座金３２を介してアンカ
ーボルト３３により固定されている。
【００４８】
前記アンカー側の固定金具３０は、その長手方向に沿って上下方向を向く３つの取付穴
３４がそれぞれ設けられており、図１０においてはアンカー側の固定金具３０は中央の取
付穴３４において取り付けられている。この取付穴３４の間隔は、間仕切りパネル２０の
厚さの半分、すなわち２５ｍｍになっている。
【００４９】
なお、上記アンカーボルト３３及びアンカー側の固定金具３０により、後述する間仕切
りパネルを支持するためのホールインアンカー３５が形成されている。
【００５０】
図１１において、間仕切りパネル２０は芯材３６とその両側の化粧板３７，３７とを有
している。間仕切りパネル２０の上部端面の長手方向には、間仕切り側の固定金具３８が
ネジ３９により固定されている。
【００５１】
図１０に示すように、ネジ３９取付穴としてのネジ穴４０は、間仕切り側の固定金具３
８の長手方向に沿って３カ所に設けられていて、その間隔は２５ｍｍになっている。また
、天井モジュール２８から間仕切りパネル２０の上部までの距離は４０ｍｍになっている
。
【００５２】
アンカー側の固定金具３０の壁部３０ａ（図１１参照）には、Ｌ字状の接続金具４１の
壁部４１ａがボルト４２及びナット４３により固定されている。接続金具４１の基部４１
ｂは、ネジ３９により間仕切り側の固定金具３８に接続されている。
【００５３】
なお、ボルト４２はアンカー側の固定金具３０に穿設された長孔４４を貫通していて、
接続金具４１はアンカー側の固定金具３０の長手方向に位置調整可能になっている。
【００５４】
図１２は、前記アンカーボルト３３に対するアンカー側の固定金具３０の位置を変位し
た例を示している。図１２のＡ−Ａ線断面矢視図を図１３に、Ｂ−Ｂ線断面矢視図を図１
４にそれぞれ示す。
【００５５】
図１０においては、アンカー側の固定金具３０は中央の取付穴３４においてアンカーボ
ルト３３に取り付けられていたが、図１２、図１３においては左側の取付穴３４において
アンカー側の固定金具３０はアンカーボルト３３に取り付けられている。
【００５６】
すなわち、図１０における両間仕切りパネル２０は図１３では右側に２５ｍｍ移動され
た状態にある。また、図１３におけるアンカー側の固定金具３０を右側の取付穴３４でア
ンカーボルト３３に取り付けると、両間仕切りパネル２０は図１３の位置から５０ｍｍ左
側に移動されることになる。
【００５７】
前記図１３においては、両間仕切りパネル２０は直列に配設されている例を示したが、
一方の間仕切りパネル２０を他方の間仕切りパネル２０に対して直交してアンカー側の固
定金具３０に取り付けることも可能である。
【００５８】
例えば、図１３の右側の間仕切りパネル２０を左側の間仕切りパネル２０に対して直交
するように接続金具４１を介してアンカー側の固定金具３０に取り付けると、端部が隣設
する両間仕切りパネル２０は互いに直交する状態になると共に、右側の間仕切りパネル２
０が左側に対して「勝ち」の状態となる。
【００５９】
また、図１３における左側の間仕切りパネル２０を右側の仕切りパネル２０に対して直
交するようにアンカー側の固定金具３０に取り付けると、両間仕切りパネル２０は直交状
態になると共に、左側の間仕切りパネル２０が右側の間仕切りパネル２０に対して「勝ち
」の状態となる。
【００６０】
前述したように、両間仕切りパネル２０は３カ所のネジ穴４０において接続金具４１に
取付可能であると共に、アンカー側の固定金具３０に対する取付方向もアンカー側の固定
金具３０に平行又は直交するように変更可能である。
【００６１】
また、ホールインアンカー３５を構成するアンカー側の固定金具３０は、３カ所の取付
穴３４においてアンカーボルト３３に取付可能であると共に、取付方向も直交する両位置
に変更可能である。
【００６２】
これにより、アンカーボルト３３に対するアンカー側の固定金具３０の取付位置及び取
付方向の選択と、アンカー側の固定金具３０に対する間仕切りパネル２０の取付位置及び
取付方向の選択により、仕切りパネル２０はホールインアンカー３５のアンカーボルト３
３に対し、図１に示すように左右方向と上下方向との９カ所において取付可能になってい
る。
【００６３】
この結果、部屋のコーナ部において隣設する間仕切りパネル２０同士の「勝ち−負け」
を自在にコントロールできるので、コーナパネル等のコーナ役物を不要とすることができ
て間仕切りのコストダウンを実現することができる。
【００６４】
さらに、間仕切り時において間仕切りパネル２０を図２〜図８に示したように適正に芯
ずれさせることで、幅方向の長さが１種類の間仕切りパネル２０によって種々の間仕切り
に対応することができる。このため、仕切りパネル２０を構成する間仕切り本体の部品点
数を大幅に削減できて、間仕切りのコストダウンを実現することができる。
【００６５】
なお、前記図１１及び図１４においては、接続金具４１の壁部４１ａはアンカー側の固
定金具３０の壁部３０ａのアンカーボルト３３側（図中左側）に取り付けて間仕切りパネ
ル２０がアンカーボルト３３の真下に位置する構成を示したが、必ずしもこれに限らない
。
【００６６】
すなわち、接続金具４１をアンカーボルト３３と反対側の位置で壁部３０ａに取り付け
て、間仕切りパネル２０の幅方向中心（ネジ３９の位置）がアンカーボルト３３から横方
向に位置するようにして間仕切りパネル２０を取り付けることも可能である。
【実施例２】
【００６７】
本発明の実施例２を図１５〜図１７に基づいて説明する。図１５におけるＡ−Ａ線断面
矢視図を図１６に示し、Ｂ−Ｂ線断面矢視図を図１７に示す。なお、実施例１と同じもの
は同一符号を付してその説明は省略する。
【００６８】
図１６において、長尺の第１の固定金具４５はアンカー側の固定金具３０と同様に３カ
所の取付穴３４を有している。この第１の固定金具４５の上部には長尺で逆Ｌ状の第２の
固定金具４６が図１５に示すように直交して配置されてアンカーボルト３３に取り付けら
れている。
【００６９】
上記第１の固定金具４５及び第２の固定金具４６によりアンカー側の固定金具４７が構
成されている。また、アンカーボルト３３及び前記アンカー側の固定金具４７によりホー
ルインアンカー３５が構成されている。
【００７０】
図１７に示すように、Ｌ字状の接続金具４１はボルト４２及びナット４３により第２の
固定金具４６に固定されていると共に、ネジ３９により間仕切りパネル２０の間仕切り側
の固定金具３８に固定されている。
【００７１】
これにより、第２の固定金具４６側に固定された間仕切りパネル２０は、第１の固定金
具４５に固定されている間仕切りパネル２０に対して直交した状態にあると共に、第２の
固定金具４６側の間仕切りパネル２０が「負け」の状態になって接合されている。
【００７２】
本実施例２によれば、第１の固定金具４５に対して第２の固定金具４６が直交している
ので、２枚の間仕切りパネル２０の直交配置を容易に行うことができる。また、アンカー
ボルト３３に対するアンカー側の固定金具４７の移動及び第１の固定金具４５に対する間
仕切りパネル２０の移動を調整することによって、一方の間仕切りパネル２０に対する他
方の間仕切りパネル２０の幅方向への芯ずれの調整を容易に行うことができる。
【実施例３】
【００７３】
本発明の実施例３を図１８〜図２０に基づいて説明する。図１８におけるＡ−Ａ線断面
矢視図を図１９に示し、Ｂ−Ｂ線断面矢視図を図２０に示す。なお、実施例１に示すもの
と同じものは同一符号を付してその説明は省略する。
【００７４】
図１９及び図２０に示すように、アンカーボルト３３にはアンカー側の固定金具４９が
固定されており、このアンカー側の固定金具４９は２つの壁部４９ａ，４９ｂを有してい
る。また、アンカー側の固定金具４９の長手方向には３カ所に上下方向を向く取付穴３４
が穿設されている。
【００７５】
１対の接続金具４１，４１は、ボルト４２及ナット４３によりアンカー側の固定金具４
９の壁部４９ａ，壁部４９ｂにそれぞれ固定され、またネジ３９により１対の間仕切りパ
ネル２０，２０の間仕切り側の固定金具３８，３８にそれぞれ固定されている。
【００７６】
これにより、図２０における左側の間仕切りパネル２０は接続金具４１を介してアンカ
ー側の固定金具４９の壁部４９ｂに結合されている。同様にして、壁部４９ｂにも右側の
間仕切りパネル２０が接続金具４１を介して結合されている。
【００７７】
この実施例３によれば、アンカーボルト３３に対するアンカー側の固定金具４９の取付
位置を調整することと、アンカー側の固定金具４９に対する間仕切りパネル２０の取付位
置を調整することで、アンカーボルト３３に対して複数の間仕切りパネル２０，２０の位
置を容易に調整することができる。
【００７８】
また、図２０におけるアンカー側の固定金具４９の何れか一方の側の壁部４９ａ又は４
９ｂに間仕切りパネル２０を取り付けて間仕切りをすると共に、例えば、リフォーム時に
おいて余った間仕切りパネル２０を残った他方の壁部４９ｂ又は４９ａに保存することが
可能である。
【００７９】
次に、上述した可動間仕切りパネルの固定金具を使用した間仕切りの例を図２１に示す
。
【００８０】
図２１は水回りを間仕切りしている上方の部屋５０及び下方の部屋５０Ａを示している
。部屋５０には、洗濯機５１、トイレ５２、洗面台５３等がそれぞれ図示のように配設さ
れている。
【００８１】
部屋５０の上辺は同じ幅９００ｍｍの間仕切りパネル２０が直列に配設されている。ま
た、部屋５０の右辺には間仕切りパネル２０と短い幅の間仕切りパネル５４、５５が間隔
をおいて配設され、その間を引き戸５６により開閉されるようになっている。
【００８２】
また、内壁５７により部屋５０と区画された下方の部屋５０Ａには、浴槽５８が配置さ
れ、さらに部屋５０の外壁５の外部には給湯器５９が配設されている。
【００８３】
上述した部屋５０の間仕切りパネル２０を移動させて、水回りを例えば老人のライフス
テージに合うように部屋５０をリフォームした例を図２２に示す。
【００８４】
図２２は、図２１における部屋５０を洗面部屋６０、トイレ室６１、洗濯室６２の独立
した部屋に間仕切りしたものである。
【００８５】
部屋６０の上辺は２枚の間仕切りパネル２０により間仕切りされ、下辺は間仕切りパネ
ル２０と、２つの短い間仕切りパネル６３，６４間に設けられた開閉自在の引き戸６５に
より間仕切りされている。また、洗面部屋６０の右辺は開閉自在の引き戸６６によって間
仕切りされている。
【００８６】
また、トイレ室６１の下辺は２枚の間仕切りパネル２０により間仕切りされ、右辺は間
仕切りパネル６７により間仕切りされている。この間仕切りパネル６７は、幅が９００ｍ
ｍの標準の間仕切りパネルよりも小さい７２５ｍｍのサイズが使用されている。また、洗
濯室６２の右辺は開閉自在の引き戸６８により間仕切りされている。
【００８７】
図２１の部屋５０の間仕切りに使用される可動間仕切りパネルの固定金具の配置例を図
２３に示す。図中において×印は、アンカー側の固定金具３０が位置調整自在に取り付け
られているアンカーボルト３３の配置されている位置を示している。
【００８８】
部屋５０の上辺を間仕切りしている左側の間仕切りパネル２０は、間仕切り側の固定金
具３８の中央部とアンカー側の固定金具３０の右端部とを接続金具４１により結合するこ
とにより固定されている。
【００８９】
また、両間仕切りパネル２０の対向する端部は、左側の間仕切り側の固定金具３８の右
端部を接続金具４１によりアンカー側の固定金具３０の左端部に結合し、右側の間仕切り
側の固定金具３８の左端部を接続金具４１によりアンカー側の固定金具３０の右端部に結
合させることによりそれぞれ固定されている。
【００９０】
また、左側の間仕切りパネル２０の右端部は、間仕切り側の固定金具３８の右端部を接
続金具４１によりアンカー側の固定金具３０の上端部に結合させることによって固定され
ている。
【００９１】
次に、右辺の間仕切りパネル２０の上端部は、間仕切り側の固定金具３８の上端部を接
続金具４１によりアンカー側の固定金具３０の下端部に結合させることによって固定され
ている。この間仕切りパネル２０の下端部は、間仕切り側の固定金具３８の下端部を接続
金具４１によりアンカー側の固定金具３０に結合させることにより固定されている。
【００９２】
また、右辺の間仕切りパネル５４の下端部は、間仕切り側の固定金具３８の上端部を接
続金具４１によりアンカー側の固定金具３０の下端部に結合させることにより固定されて
いる。間仕切りパネル５５は、間仕切り側の固定金具３８の下端部を接続金具４１により
アンカー側の固定金具３０の中央部に結合させることにより固定されている。
【００９３】
次に、図２２の部屋６０，６１，６２の間仕切りに使用される可動間仕切りパネルの固
定金具の配置例を図２４，図２５に示す。図中において×印は、アンカー側の固定金具３
０が位置調整自在に取り付けられているアンカーボルト３３の配置されている位置を示し
ている。
【００９４】
図２４（Ａ）は、固定金具に間仕切りパネル２０を設置した場合を示し、（Ｂ）は固定
金具のみを示している。
【００９５】
図２２の洗面部屋６０における上辺左側の間仕切りパネル２０の端部は、間仕切り側の
固定金具３８の中央部を接続金具４１によりアンカー側の固定金具３０の右端部に固定さ
れている。
【００９６】
また、左側の間仕切りパネル２０の右端部は、間仕切り側の固定金具３８の右端部を接
続金具４１によりアンカー側の固定金具３０の左端部に結合することにより固定されてい
る。右側の間仕切りパネル２０の左端部は、間仕切り側の固定金具３８の左端部を接続金
具４１によりアンカー側の固定金具３０の右端部に結合させることにより固定されている
。
【００９７】
右側の間仕切りパネル２０の右端部は、間仕切り側の固定金具３８の右端部を接続金具
４１によりアンカー側の固定金具３０の中央部に結合させることにより固定されている。
【００９８】
図２５（Ａ）において、洗面部屋６０における下辺の間仕切りパネル２０の左端部は、
間仕切り側の固定金具３８の中央部を接続金具４１によりアンカー側の固定金具３０の右
端部に結合させることにより固定されている。
【００９９】
また、間仕切りパネル２０の右端部は、間仕切り側の固定金具３８の右端部を接続金具
４１によりアンカー側の固定金具３０の左端部に結合させることにより固定されている。
間仕切りパネル６３の左端部は、間仕切り側の固定金具３８の右端部を接続金具４１によ
りアンカー側の固定金具３０に結合させることにより固定されている。
【０１００】
そして、間仕切りパネル６４の右端部は、間仕切り側の固定金具３８の右端部をアンカ
ー側の固定金具３０の上端部に結合させることにより固定されている。
【０１０１】
次に、間仕切りパネル６７の上端部は、間仕切り側の固定金具３８の上端部を接続金具
４１により結合させることにより固定されている。前記間仕切りパネル６７の下端部は、
間仕切り側の固定金具３８の下端部を接続金具４１によりアンカー側の固定金具３０の上
端部に結合させることにより固定されている。
【０１０２】
次に、図２２のトイレ室６１の下辺において、左側の間仕切りパネル２０の左端部は、
間仕切り側の固定金具３８の中央部を接続金具４１によりアンカー側の固定金具３０の右
端部に結合させることにより固定されている。
【０１０３】
また、左側の間仕切りパネル２０の右端部は、間仕切り側の固定金具３８の右端部を接
続金具４１によりアンカー側の固定金具３０の左端部に結合させることにより固定されて
いる。右側の間仕切りパネル２０の左端部は、間仕切り側の固定金具３８の左端部を接続
金具４１によりアンカー側の固定金具３０の右端部に結合させることにより固定されてい
る。
【０１０４】
また、右側の間仕切りパネル２０の右端部は、間仕切り側の固定金具３８の右端部をア
ンカー側の固定金具３０の下端部に結合させることにより固定されている。
【０１０５】
図２５において、右側の各アンカーボルト３３には、支持金具７０の基部がそれぞれ固
定されている。前記支持金具７０により建具レール用金具７１が支持されており、この建
具レール用金具７１により図２２の引き戸６６及び引き戸６８がそれぞれガイドされてい
る。
【０１０６】
図２３〜図２５に示すように、間仕切りパネル２０の端部及び端部同士を上述したアン
カー側の固定金具３０、間仕切り側の固定金具３８及び接続金具４１の固定金具により固
定させるので、間仕切りパネル２０の固定を容易に行うことができると共に、間仕切りパ
ネル２０の芯ずれを容易に行うことができる。
【０１０７】
また、部屋のコーナ部において隣設する間仕切りパネル２０同士の「勝ち−負け」を自
在にコントロールできるので、コーナパネル等のコーナ役物を不要とすることができて間
仕切りのコストダウンを実現することができる。
【０１０８】
さらに、間仕切り時において間仕切りパネル２０を所用の方向に芯ずれさせることで、
幅方向の長さが１種類の間仕切りパネル２０によって種々の間仕切りに対応することがで
きる。このため、仕切りパネル２０を構成する間仕切り本体の部品点数を大幅に削減でき
て、間仕切りのコストダウンを実現することができる。
【実施例４】
【０１０９】
本発明の実施例４を図２６に基づいて説明する。なお、実施例２に示すものと同じもの
は同一符号を付してその説明は省略する。
【０１１０】
アンカーボルト３３には、実施例２と同様の第１の固定金具４５が装着されていると共
に、アンカーボルト３３には第２の固定金具７２がアンカーボルト３３に直交して取り付
けられている。
【０１１１】
前記第１の固定金具４５及び第２の固定金具７２によりアンカー側の固定金具７３が構
成されている。また、前記アンカーボルト３３及びアンカー側の固定金具７３によりホー
ルインアンカー３５が構成されている。
【０１１２】
図２２に示した引き戸６６，６８の上部には、図２６に示すようにローラ支持具７６が
それぞれ設けられており、このローラ支持具７６にはローラ７７がそれぞれ装着されてい
る。
【０１１３】
前記第２の固定金具７２の裏面側にはガイド本体７４が設けられており、このガイド本
体７４には前記ローラ７７をガイドするためのガイドレール７５がそれぞれ設けられてい
て、引き戸６６，６８を開閉自在に支持している。
【０１１４】
このように、アンカー側の固定金具７３のアンカーボルト３３に対して第１の固定金具
４５を位置調整して取り付けると共に、第１の固定金具４５に対して間仕切りパネル２０
の間仕切り側の固定金具３８を位置調整して取り付けることにより、間仕切りパネル２０
同士の「勝ち−負け」をなくして間仕切りをすることができる。
【０１１５】
そして、間仕切りパネル２０と平行の引き戸６６、６８を容易に配設することができる
。なお、前記実施例では引き戸は２枚である例を示したが１枚であってもよいことは勿論
である。
【実施例５】
【０１１６】
本発明の実施例５を図２７に基づいて説明する。なお、実施例１に示すものと同じもの
は同一符号を付してその説明は省略する。
【０１１７】
図２７においてアンカー側の固定金具８０は、上下に上板８０ａ、下板８０ｂを有して
いて横方向に開口した建物のからなっている。このアンカー側の固定金具８０の上板８０
ａは、アンカーボルト３３に着脱自在に固定されている。前記アンカーボルト３３及びア
ンカー側の固定金具８０によりホールインアンカー３５が構成されている。
【０１１８】
なお、前記上板８０ａには、図１０のアンカー側の固定金具３０に設けられた取付穴３
４と同様の取付穴３４が長手方向（紙面に垂直方向）に沿って設けられている。
【０１１９】
また、アンカー側の固定金具８０の下板８０ｂには、アコーディオンカーテン８１の上
部に設けられたカーテン支持具８２が取り付けられている。アンカー側の固定金具８０の
両側には、カバー７８，７９がそれぞれ配設されている。
【０１２０】
このようにアンカー側の固定金具８０を用いることによりアコーディオンカーテン８１
を着脱自在かつ容易に配設することができる。
【０１２１】
なお、前記アコーディオンカーテン８１は、アンカーボルト３３に直接取り付けた例を
示したが、実施例４に示した引き戸６６，６８（図２６参照）のようにアンカー側の固定
金具７３の第２の固定金具７２に取り付けることも可能である。
【０１２２】
次に、前述したホールインアンカー３５、アンカー側の固定金具７３及びアンカー側の
固定金具８０等を用いて間仕切りする例を説明する。図２６に示したアンカー側の固定金
具７３により支持された引き戸６６，６８を図２８に示す。
【０１２３】
同図において、引き戸６６，６８の右側は廊下、左側は洗濯及び浴室等部屋になってい
る。基礎８４上の土台８５には床板８６が貼設されている。前記引き戸６６，６８の下部
はレール８７によりガイドされている。このように、アンカー側の固定金具７３を用いる
ことによ、間仕切りパネル２０及びこれと平行の引き戸６６，６８を適正に配設すること
ができる。
【０１２４】
図２９は、図２７のアンカー側の固定金具８０により支持されるアコーディオンカーテ
ン８１の配置例を示している。このアンカー側の固定金具８０を用いることにより、主寝
室を洗面室と容易に区画するアコーディオンカーテン８１を配設することができる。
【０１２５】
図３０（Ａ）は、図２２におけるトイレ室６１の上辺の間仕切りパネル２０及び引き戸
６５の正面図、（Ｂ）は平面図を示している。間仕切りパネル６７は前記ホールインアン
カー３５により上部が固定され、下部は床板８６に固定されている。
【０１２６】
引き戸６５と天井モジュール２８間には高さが短い間仕切りパネル８８が配設され、ま
た左方の間仕切りパネル２０は前記間仕切りパネル８８を一体形成した高さの長い間仕切
りパネルからなっている。
【０１２７】
図３１は、間仕切りパネル２０の化粧板３７（図１１参照）を外して内部を示しており
、図３２（Ａ）は図３０の側面図、（Ｂ）は平面図をそれぞれ示している。
【０１２８】
図３０（Ｂ）及び図３１（Ｂ）における左側の間仕切りパネル６３の上部は、図３１及
び図３２（Ａ）に示すように中央のホールインアンカー３５により固定されている。
【０１２９】
また、図３１（Ｂ）における右側の間仕切りパネル６４及び前記引き戸６５に直交して
いる間仕切りパネル６７は、図３１及び図３２（Ａ）に示すように右側のホールインアン
カー３５により固定されている。前記引き戸６５上方の間仕切りパネル８８の上部は、中
央部と左側のホールインアンカー３５により固定されている。
【０１３０】
前記間仕切りパネル２０の上部は、左側及び中央のホールインアンカー３５によりそれ
ぞれ固定されている。引き戸６５の上部は、図３２（Ａ）に示すようにガイド８９により
ガイドされている。
【０１３１】
このように、間仕切りパネル２０同士の接続以外に上記のような間仕切りパネル２０と
引き戸６５とによる間仕切りにおいてもホールインアンカー３５を用いることにより、幅
９００ｍｍの同一サイズの間仕切りパネル２０及び間仕切りパネル８８及び引き戸６５等
により間仕切りを行うことができる。
【０１３２】
以上説明した本発明の実施の形態に係わる可動間仕切りパネルの固定金具は、天井モジ
ュール(２８）に打設されたホールインアンカー（３５）に可動間仕切りパネル（２０）
を固定して部屋を間仕切りする構造であって、前記ホールインアンカー（３５）に対する
可動間仕切りパネル（２０）の固定位置が可動間仕切りパネル（２０）の芯材（３６）の
厚さ方向の３段階と幅方向の３段階との位置を調整して、幅方向が一種類の可動間仕切り
パネル（２０）で異なる形の部屋（２４，２５，２６）の間仕切りを可能にしている。
【０１３３】
この構成によれば、天井モジュール(２８）に打設されたホールインアンカー（３５）
に対して間仕切りパネル（２０）をその厚さ方向及び幅方向に位置調整するするようにし
たので、間仕切りパネル（２０）同士の幅方向端部における接合部の「勝ち−負け」をコ
ントロールできるため、従来の間仕切りに用いられた役物コーナパネルの部品が不要にな
って間仕切り部材のコストダウンを図ることができる。また、幅方向の寸法が１種類の間
仕切りパネル（２０）で種々の形の間仕切りに対応できるため、間仕切りパネル（２０）
の種類を大幅に削減できて、リフォーム等において間仕切りのコストダウンを実現するこ
とができる。
【０１３４】
また、本発明の実施の形態に係わる可動間仕切りパネルの固定金具は、天井モジュール
(２８）に打設されたアンカーボルト（３３）と該アンカーボルト（３３）に着脱自在に
取り付けられたアンカー側の固定金具（３０，４７）とを有するホールインアンカー（３
５）と、板状の間仕切りパネル（２０）の上面に沿って取り付けられ、且つ両端部と中間
部の長手方向に沿う位置に取付穴（４０）を有する間仕切り側の固定金具（３８）と、前
記アンカー側の固定金具（４７）及び間仕切り側の固定金具（３８）を接合する接合金具
（４１）と、を備えている。さらに可動間仕切りパネルの固定金具は、前記ホールインア
ンカー（３５）は、間仕切りパネル（２０）の厚さ方向におけるセンタ位置と厚さ方向両
側の端部位置との３段階の位置と、幅方向の３段階の位置との合計９個の位置（２３）で
前記間仕切りパネルの位置調整を可能にし、且つ、前記ホールインアンカー（３５）に対
する前記間仕切りパネル（２０）の取付位置を調整することで交差する複数の間仕切りパ
ネル（２０）の接合部の勝ち−負けを任意に選択可能にしたことを特徴としている。
【０１３５】
この構成によれば、間仕切りパネル（２０）の厚さ方向におけるセンタ位置と厚さ方向
両側の端部位置との３段階の位置と、幅方向の３段階の位置との合計９個の位置（２３）
で前記間仕切りパネル（２０）の位置調整を可能にし、且つ、前記ホールインアンカー（
３５）に対する前記間仕切りパネル（２０）の取付位置を調整することで、部屋（２４，
２５，２６）のコーナ部において隣設する間仕切りパネル（２０）同士の「勝ち−負け」
を自在にコントロールできるので、コーナパネル等のコーナ役物（３）を不要とすること
ができる。さらに、間仕切り時において間仕切りパネル（２０）を適正に芯ずれさせるこ
とで、幅方向の長さが１種類の間仕切りパネル（２０）によって種々の間仕切りに対応す
ることができる。このため、仕切りパネル（２０）を構成する間仕切り本体の部品点数を
大幅に削減できて、間仕切りのコストダウンを実現することができる。
【０１３６】
また、本発明の実施の形態に係わる可動間仕切りパネルの固定金具は、前記アンカー側
の固定金具（４７）は、前記アンカーボルト（３３）に着脱自在に取り付けられた長尺の
金具であって長手方向に沿う位置に上下方向を向く３個の取付穴（３４）を所定の間隔Ｗ
／２で有する第１の固定金具（４５）と、該第１の固定金具（４５）に直交して前記アン
カーボルト（３３）に着脱自在に取り付けられた第２の固定金具（４６）とを備え、且つ
前記間仕切り側の固定金具（３８）は、前記間仕切りパネル（２０）の幅方向に沿って３
個の取付穴（４０）を所定の間隔Ｗ／２で有している。
【０１３７】
この構成によれば、アンカーボルト（３３）に対してアンカー側の固定金具（４７）の
第１の固定金具（４５）をその長手方向に沿ってＷ／２ずつ３段階に移動可能にすると共
に、第２の固定金具（４６）に対して間仕切り側の固定金具（３８）を長手方向に対して
３段階に位置調整可能にしているので、間仕切りのコーナ部（接合部）においては、隣設
する間仕切りパネル（２０）の「勝ちー負け」を任意に選択可能となる。このため、一種
類の間仕切りパネル（２０）を用いて種々の間仕切りに対応することができると共に、コ
ーナ役物（３）を不必要とする間仕切りを行うことができる。
【０１３８】
また、本発明の実施の形態に係わる可動間仕切りパネルの固定金具は、天井モジュール
(２８）に打設されたアンカーボルト（３３）と該アンカーボルト（３３）に着脱自在に
取り付けられた長尺の金具であって長手方向に沿う位置に３個の取付穴を所定の間隔Ｗ／
２で設けた１対の壁部（４９ａ，４９ｂ）を有するアンカー側の固定金具（４９）とを備
えたホールインアンカー（３５）と、２つの板状の間仕切りパネル（２０）の上面に沿っ
てそれぞれ取り付けられ、且つ両端部と中間部の長手方向に沿う位置に前記所定の間隔Ｗ
／２で取付穴（４０）を有する間仕切り側の固定金具（３８）と、前記アンカー側の固定
金具（４９）の各壁部（４９ａ，４９ｂ）と間仕切り側の固定金具（３８）とをそれぞれ
接合する１対の接合金具（４１）とを備えている。さらに、この可動間仕切りパネルの固
定金具は、前記アンカーボルト（３３）に対する前記アンカー側の固定金具（４９）の取
付位置を変えることにより、前記アンカー側の固定金具（４９）に取り付けられた２枚の
間仕切りパネル（２０）を該間仕切りパネル（２０）の幅方向に沿って変位可能にしてい
る。
【０１３９】
この構成によれば、アンカーボルト（３３）に対してアンカー側の固定金具（４９）が
３段階に位置調整可能にしていると共に、アンカー側の固定金具（４９）の１対の壁部（
４９ａ，４９ｂ）に間仕切りパネル（２０）をそれぞれ取付可能にしているので、アンカ
ー側の固定金具（４９）に取り付けられる２枚の間仕切りパネル（４０）をその幅方向へ
３段階に位置調整することができる。また、前記アンカー側の固定金具（４９）には、何
れか一方の壁部（４９ａ，４９ｂ）に２枚の間仕切りパネル（２０）を取付可能であると
共に、リフォーム時において不要となった間仕切りパネル（２０）を他方の壁部（４９ｂ
，４９ａ）に格納することができる。
【０１４０】
また、本発明の実施の形態第に係わる可動間仕切りパネルの固定金具は、天井モジュー
ル(２８）に打設されたアンカーボルト（３３）と該アンカーボルト（３３）に着脱自在
に取り付けられた長尺の金具であって長手方向に沿う位置に３個の取付穴を所定の間隔Ｗ
／２で有する第１の固定金具（４５）及び該第１の固定金具（４５）に直交している第２
の固定金具（７２）からなるアンカー側の固定金具（７３）とを備えたホールインアンカ
ー（３５）と、前記第１の固定金具（４５）に平行して前記第２の固定金具（７２）に固
定されていて、引き戸（６６，６８）をガイド可能なガイドレール（７５）と、板状の間
仕切りパネル（２０）の上面に沿って取り付けられ、且つ両端部と中間部の長手方向に沿
う位置に前記所定の間隔Ｗ／２で有する間仕切り側の固定金具（３８）と、前記アンカー
側の固定金具（７３）及び間仕切り側の固定金具（３８）を接合する接合金具（４１）と
を備えている。
【０１４１】
さらに、この可動間仕切りパネルの固定金具は、前記アンカーボルト（３３）に対する
前記アンカー側の固定金具（７３）の取付位置を変えること及び前記間仕切り側の固定金
具（３８）に対する前記接続金具（４１）の取付位置を変えることにより、前記第１の固
定金具（４５）に取り付けられた間仕切りパネル（２０）及び前記ガイドレール（７５）
に支持された引き戸（６６，６８）を前記間仕切りパネル（２０）の幅方向に沿って変位
可能にしている。
【０１４２】
この構成によれば、アンカーボルト（３３）に対する前記アンカー側の固定金具（７３
）の取付位置を変えること及び前記間仕切り側の固定金具（３８）に対する接続金具（４
１）の取付位置を変えることにより、前記第１の固定金具（４５）に取り付けられた間仕
切りパネル（２０）及び前記ガイドレール（７５）に支持された引き戸（６６，６８）を
前記間仕切りパネル（２０）の幅方向に沿って変位可能にしたので、間仕切りパネル（２
０）を幅方向に沿って位置調整可能にすると共に間仕切りパネル（２０）に隣設して引き
戸（６６，６８）を設けることができる。
【０１４３】
また、本発明の実施の形態に係わる可動間仕切りパネルの固定金具は、天井モジュール
(２８）に打設されたアンカーボルト（３３）と該アンカーボルト（３３）に着脱自在に
取り付けられた長尺の金具であって長手方向に沿う位置に３個の取付穴（３４）を所定の
間隔Ｗ／２で有するアンカー側の固定金具（８０）とを備えたホールインアンカー（３５
）と、該ホールインアンカー（３５）の長手方向に沿って取り付けられた伸縮自在のアコ
ーディオンカーテン（８１）とを有している。さらに、この可動間仕切りパネルの固定金
具は、前記アンカーボルト（３３）に対する前記アンカー側の固定金具（８０）の取付位
置を変えることにより、前記アコーディオンカーテン（８１）を幅方向に沿って移動可能
にしている。
【０１４４】
この構成によれば、アンカーボルト（３３）に対するアンカー側の固定金具（８０）の
位置を調整可能にしたので、アコーディオンカーテン（８１）を幅方向に位置調整可能に
することができる。
【図面の簡単な説明】
【０１４５】
【図１】本発明に係わる間仕切りパネルを上から見たときの間仕切りパネル及びホールインアンカーの位置関係を示す図である。
【図２】本発明の実施例に係わる芯ずれモジュールのパターンを示し、四辺を間仕切りパネルにより間仕切りしたときのパターン図である。
【図３】一側辺に外壁の表層壁を有し他の側辺を間仕切りパネルにより間仕切りした芯ずれモジュールのパターン図である。
【図４】一側辺に外壁の表層壁を有し他の側辺を間仕切りパネルにより間仕切りした部屋を間仕切りにより間仕切りしたときの芯ずれモジュールのパターン図である。
【図５】一側辺に外壁の表層壁を有し他の側辺が間仕切りパネルにより囲まれた部屋を２枚の間仕切りパネルにより間仕切りしたときの芯ずれモジュールのパターン図である。
【図６】一側辺に外壁の表層壁を有すると共に下辺に内壁を有し、他の側辺を間仕切りパネルにより間仕切りしたときの芯ずれモジュールのパターン図である。
【図７】一側辺に外壁の表層壁を有すると共に下辺に内壁を有し、他の側辺を間仕切りパネルにより間仕切りした部屋を間仕切りパネルにより間仕切りしたときの芯ずれモジュールのパターン図である。
【図８】一側辺に外壁の表層壁を有すると共に下辺に内壁を有し、他の側辺を間仕切りパネルにより囲まれ部屋を２枚の間仕切りパネルにより間仕切りしたときの芯ずれモジュールのパターン図である。
【図９】本発明の実施例１に係わる可動間仕切りパネルの固定金具の平面図である。
【図１０】図９におけるＡ−Ａ線断面矢視図である。
【図１１】図９におけるＢ−Ｂ線断面矢視図である。
【図１２】図９における固定金具を変位させたときの可動間仕切りパネルの固定金具の平面図である。
【図１３】図１２におけるＡ−Ａ線断面矢視図である。
【図１４】図１２におけるＢ−Ｂ線断面矢視図である。
【図１５】本発明の実施例２に係わる可動間仕切りパネルの固定金具の平面図である。
【図１６】図１５におけるＡ−Ａ線断面矢視図である。
【図１７】図１５におけるＢ−Ｂ線断面矢視図である。
【図１８】本発明の実施例３に係わる可動間仕切りパネルの固定金具の平面図である。
【図１９】図１８におけるＡ−Ａ線断面矢視図である。
【図２０】図１８におけるＢ−Ｂ線断面矢視図である。
【図２１】本発明に係わる可動間仕切りパネルにより間仕切りされた部屋の平面図である。
【図２２】図２１に係わる部屋をリフォームした部屋の平面図である。
【図２３】図２１に係わる部屋の間仕切りに使用される間仕切りパネル及び固定金具の平面図である。
【図２４】（Ａ）は図２２における洗面部屋の上辺に使用される間仕切りパネル及び固定金具の平面図、（Ｂ）は（Ａ）の固定金具のみを示す平面図でるある。
【図２５】（Ａ）は図２２における洗面部屋の下辺に使用される間仕切りパネル及び固定金具の平面図、（Ｂ）はトイレ室の下辺に使用される間仕切りパネル及び固定金具の平面図、（Ｃ）は建具レール用金具を支持する支持金具の平面図である。
【図２６】本発明の実施例４に係わる可動間仕切りパネル、引き戸及び固定金具の側面図である。
【図２７】本発明の実施例５に係わる可動間仕切りパネルの固定金具及びアコーディオンカーテンの側面図である。
【図２８】図２６のアンカー側の固定金具が使用された間仕切りパネル及び引き戸の側面図である。
【図２９】図２７のアンカー側の固定金具外周様されたアコーディオンカーテンの側面図である。
【図３０】（Ａ）は図２２における洗面部屋の下辺の間仕切りパネル及び引き戸の正面図、（Ｂ）は（Ａ）の平面図である。
【図３１】間仕切りパネルの間仕切り本体及び引き戸側の間仕切りパネルを示す正面図、（Ｂ）は（Ａ）の平面図である。
【図３２】（Ａ）は図３１（Ａ）の側面図、（Ｂ）は図３１（Ａ）の平面図である。
【図３３】従来例１に係わる間仕切りパターンを示し、四辺が間仕切りパネルにより間仕切りされたときのパターン図である。
【図３４】同じく、一側辺に外壁の表層壁を有し他の側辺を間仕切りパネルにより間仕切りした間仕切りパターン図である。
【図３５】同じく、一側辺に外壁の表層壁を有すると共に下辺に内壁を有し、他の側辺を間仕切りパネルにより間仕切りした間仕切りパターン図である。
【図３６】従来２に係わる間仕切りパネルを示し、四辺が間仕切りパネルにより囲まれたときのパターン図である。
【図３７】同じく、一側辺に外壁の表層壁を有し他の側辺を間仕切りパネルにより間仕切りした間仕切りパターン図である。
【図３８】同じく、一側辺に外壁の表層壁を有すると共に下辺に内壁を有し、他の側辺が間仕切りパネルにより間仕切りした間仕切りパターン図である。
【符号の説明】
【０１４６】
３            コーナ役物
２０          間仕切りパネル
２３          ホールインアンカーの位置
２４，２５，２６  部屋
２８          天井モジュール
３０          アンカー側の固定金具
３３          アンカーボルト３３
３４          取付穴
３５          ホールインアンカー
３８          間仕切り側の固定金具
４０          ネジ穴（取付穴）
４１          接続金具
４５          第１の固定金具
４６          第２の固定金具
４７          アンカー側の固定金具
４９          アンカー側の固定金具
４９ａ，４９ｂ   壁部
５０          部屋
６０          洗面部屋
６１          トイレ室
６２          洗濯室
６６，６８    引き戸
７０          支持金具
７２          第２の固定金具
７３          アンカー側の固定金具
７５          ガイドレール
８０          アンカー側の固定金具
８１          アコーディオンカーテン
【図１】
2005282085.tif 000003
【図２】
2005282085.tif 000004
【図３】
2005282085.tif 000005
【図４】
2005282085.tif 000006
【図５】
2005282085.tif 000007
【図６】
2005282085.tif 000008
【図７】
2005282085.tif 000009
【図８】
2005282085.tif 000010
【図９】
2005282085.tif 000011
【図１０】
2005282085.tif 000012
【図１１】
2005282085.tif 000013
【図１２】
2005282085.tif 000014
【図１３】
2005282085.tif 000015
【図１４】
2005282085.tif 000016
【図１５】
2005282085.tif 000017
【図１６】
2005282085.tif 000018
【図１７】
2005282085.tif 000019
【図１８】
2005282085.tif 000020
【図１９】
2005282085.tif 000021
【図２０】
2005282085.tif 000022
【図２１】
2005282085.tif 000023
【図２２】
2005282085.tif 000024
【図２３】
2005282085.tif 000025
【図２４】
2005282085.tif 000026
【図２５】
2005282085.tif 000027
【図２６】
2005282085.tif 000028
【図２７】
2005282085.tif 000029
【図２８】
2005282085.tif 000030
【図２９】
2005282085.tif 000031
【図３０】
2005282085.tif 000032
【図３１】
2005282085.tif 000033
【図３２】
2005282085.tif 000034
【図３３】
2005282085.tif 000035
【図３４】
2005282085.tif 000036
【図３５】
2005282085.tif 000037
【図３６】
2005282085.tif 000038
【図３７】
2005282085.tif 000039
【図３８】
2005282085.tif 000040